(57)【要約】【課題】  筆積み法による作業中に古い余分な混合物が小筆に少量ずつ蓄積してしまう現象に対して、術者がその都度ティッシュペーパー等を用いて小筆から拭き取っていた操作を無くし、片手でも簡単に筆先の余分な混合物を除去することが可能な歯科材料用トレイを提供する。【解決手段】  少なくとも二成分からなる歯科材料を筆積み法により使用するための歯科材料用トレイであって、歯科材料を受容するための少くとも２つの材料溜めと、深さ１〜１０ｍｍ，長さ５〜５０ｍｍ，幅１〜４．５ｍｍの溝が０．１〜２ｍｍ間隔で略平行に３〜５０列配置された筆洗い部とを有する基板から成る歯科材料用トレイとする。【選択図】  図１
2006204391.tif 000002
【特許請求の範囲】
【請求項１】
少なくとも二成分からなる歯科材料を筆積み法により使用するための歯科材料用トレイであって、歯科材料を受容するための少くとも２つの材料溜め（２）と、深さ１〜１０ｍｍ，長さ５〜５０ｍｍ，幅１〜４．５ｍｍの溝が０．１〜２ｍｍ間隔で略平行に３〜５０列配置された筆洗い部（３）とを有する基板（１）から成る歯科材料用トレイ。
【発明の詳細な説明】
【技術分野】
【０００１】
本発明は、歯科で使用される歯科用材料を筆積み法で使用する際に持いる歯科材料用トレイに関する。
【背景技術】
【０００２】
従来から歯科治療においては、ラジカル重合性を有するモノマーを同種のポリマーと混合することで重合させる常温重合型レジンが用いられてきた。これらの歯科用常温重合レジンの用途は、恒久的な歯冠補綴物や橋義歯が出来るまでの暫間クラウン、破折した義歯床や人工歯の修理，窩洞の仮封等多目的に用いられている。
【０００３】
歯科材料に使用されている化学重合触媒としては、例えば有機過酸化物と芳香族３級アミンが広く用いられている。また、ピリミジントリオン誘導体と有機金属化合物、それに有機ハロゲン化合物による重合反応も利用されている。更に光重合開始剤を含み、光を照射すると光重合開始剤が光を吸収して活性化し、ラジカル分子や水素イオン等の物質が生成され単量体の重合反応が開始される手段も併用されており、これらの材料は基本的に二成分以上の材料を使用時に混合して用いる（例えば、特許文献１参照。）。
【０００４】
特に歯科材料がモノマーを主成分とする液とポリマーを主成分とする粉との二成分を基本とする場合には筆積み法が多用されている。筆積み法とは、豚毛やナイロン製等の小筆にモノマーを主成分とする液を先に充分に浸み込ませ、その後速やかに筆先をポリマーを主成分とする粉中に接触させることにより化学反応を開始させた混合物を筆先から例えば義歯床の修復箇所等に適用し、必要によりこの操作を繰り返し行う方法である。
【０００５】
このとき、筆積み法による作業中には既に半硬化してしまった古い余分な混合物が小筆に少量ずつ蓄積してしまうので、術者がその都度余分な混合物を布やティッシュペーパー等で小筆から拭き取っていた。しかしながら布等で拭き取る操作は、術者の両手が使用できない時には拭き取り難い等、両手を使用しなければ不便であった。
【０００６】
【特許文献１】特開昭４８−４９８７５号公報
【発明の開示】
【発明が解決しようとする課題】
【０００７】
そこで本発明は、筆積み法による作業中に古い余分な混合物が小筆に少量ずつ蓄積してしまう現象に対して、術者がその都度ティッシュペーパー等を用いて小筆から拭き取っていた操作を無くし、片手でも簡単に筆先の余分な混合物を除去することが可能な歯科材料用トレイを提供することを課題とする。
【課題を解決するための手段】
【０００８】
この筆積み法で用いられる歯科用材料の量は僅かな量であり、一般的にモノマー液とポリマー粉は使用量に比して大きな容器にて販売されているので、術者が使用の際に販売容器から少量ずつラバーカップ等の小皿に採ってから使用される。従来からこの小皿として例えば、実開平２−４６３３３や実開平６−４８６１８等に代表される歯科材料用のトレイが開発されている。そこで本発明者は前記課題を解決するために鋭意検討した結果、従来からの歯科材料用トレイに筆先の余分な混合物を除去する筆洗いの機能を追加すれば前記課題を解決できることを見いだして本発明を完成した。
【０００９】
即ち本発明は、少なくとも二成分からなる歯科材料を筆積み法により使用するための歯科材料用トレイであって、歯科材料を受容するための少くとも２つの材料溜めと、深さ１〜１０ｍｍ，長さ５〜５０ｍｍ，幅１〜４．５ｍｍの溝が０．１〜２ｍｍ間隔で略平行に３〜５０列配置された筆洗い部とを有する基板から成る歯科材料用トレイである。
【発明の効果】
【００１０】
本発明に係る歯科材料用トレイは、筆積み法による作業中に古い余分な混合物が小筆に少量ずつ蓄積してしまう現象に対して、術者がその都度ティッシュペーパー等を用いて小筆から拭き取っていた操作を無くし、片手でも簡単に筆先の余分な混合物を除去することが可能な歯科材料用トレイである。
【発明を実施するための最良の形態】
【００１１】
以下、図面により本発明に係る歯科材料用トレイついて詳細に説明する。
図１は本発明に係る歯科材料用トレイの一実施例を示した斜視説明図である。
【００１２】
図面中１は本発明に係る歯科材料用トレイの本体となる基板である。基板１はその上面に後述する歯科材料を受容するための少くとも２つの材料溜めと、深さ１〜１０ｍｍ，長さ５〜５０ｍｍ，幅１〜４．５ｍｍの溝が０．１〜２ｍｍ間隔で３〜５０列配置された筆洗い部とを有する。
【００１３】
基板１の大きさは術者の治療または技工の作業に支障を来さない範囲であれば特に限定されないが、好ましくは基板上面方向から見た際に縦横１５０ｍｍの範囲内に収まる大きさであることが好ましい。基板１の厚さは材料溜め２及び筆洗い部の溝を備えるために２〜５０ｍｍの厚さを有することが好ましい。また、機能を損なわない範囲で基板１の内部が空洞であったり、底部が開口した図２に示すような形態であっても良い。
【００１４】
本発明に係る歯科材料用トレイの材質は、材料溜めに採られるモノマーに溶解等しない材質であればプラスチック，シリコーンゴム等のゴム材，陶器等が特に限定無く使用可能であり、基板１，材料溜め，筆洗い部とが異なる材質であっても良い。特に、歯科材料用トレイ全体が使い捨てが可能なポリ（エチレングリコール−コ−シクロヘキサン１，４−ジメタノールテレフタレート）（ＤＥＴＧ）等のプラスチックで構成されていることが好適である。
【００１５】
図面中の２は歯科材料を受容するための材料溜めであり、基板１の上面に凹部として存在し、基本的には図１に示すように特に底面部は球の表面形状の滑らかな湾曲形状を有しており歯科材料を特定量だけ収容するように企図されている。材料溜め２の大きさは基材１面の開口面積が１ｃｍ２以上あれば筆済み法の操作を支障なく行うことができるので好ましい。基材１の上面から材料溜め２の底面までは２ｍｍ以上の深さがあることが好ましく、二成分の歯科材料を受容する必要があるので基材１面に任意の配列で少なくとも２つ設けられている。また、図１に示した実施例の様に、基材１の材料溜め２近傍には表示１ａが印刷，立体表示等の手段で明記されていると、どの種類の歯科材料が特定の材料溜め２に入っているかを術者が簡単に分かるので好ましい。
【００１６】
図面中の３は筆積み法による作業中に筆に付く古い余分な混合物を落とすための筆洗い部である。筆洗い部３は、深さ１〜１０ｍｍ，長さ５〜５０ｍｍ，幅１〜４．５ｍｍの溝３ａが０．１〜２ｍｍ間隔で溝３ａの長さに添って略平行に３〜５０列配置され基板１上に存在する。溝３ａは基本的に長方形であり、長さに添って並んで配列される。溝３ａは長方形の角が取られていたり、溝３ａ全体が長楕円であっても良いのは勿論である。また、溝３ａは基板１の上面の材料溜め２を除く全面に配されていても良いが、操作性，生産性及びデザインの点から図１に示すように、深さ２〜７ｍｍ，長さ５〜３０ｍｍ，幅１〜３ｍｍの範囲で長さに添って長さや幅を揃えて例えば等間隔等となるように規則的に配置され筆洗い部３を形成していることが好ましい。
【００１７】
本発明に係る歯科材料用トレイの使用方法は、モノマー液とポリマー粉が販売されている容器から必要量だけ採って材料溜め２に入れ、その採取したモノマー液とポリマー粉とを用いて筆積み法による操作を行い、作業中に古い余分な混合物が小筆に少量ずつ蓄積したら筆先を筆洗い部３へ溝３ａの長さ方向と略直角となるように軽く擦りつけて余分な混合物を筆から落とす。このとき、余分な混合物は各溝３ａの間である基板１上面で擦り取られて溝３ａ内に入るのである。なお、筆洗い部３には余分な混合物の有無に拘わらず作業中に筆先を整える機能もある。
【００１８】
筆洗い部の機能説明
【図面の簡単な説明】
【００１９】
【図１】本発明に係る歯科材料用トレイの一実施例を示した斜視説明図である。
【符号の説明】
【００２０】
１  基板
１ａ  表示
２  材料溜め
３  筆洗い部
３ａ  溝
【図１】
2006204391.tif 000003